(57)【要約】    【課題】  効率よく製造でき、かつ安価に提供でき、さらに治具を用いることなく容易に分断することができる切断性複合シートを提供する。    【解決手段】  合成樹脂よりなるシート２０の片面に、長さ方向を有する合成樹脂もしくは合成樹脂−繊維複合材料からなるテープ２１が積層されており、シート２０とテープ２１とが、糸２２に、テープ２１の長さ方向に縫い付けられており、かつ糸２２により縫い付けられたシート２０及びテープ２１が融着もしくは溶着されて一体化されており、テープ２１を構成している合成樹脂の融点が、シート２０を構成している合成樹脂の融点よりも高くされおり、テープ２１の長さ方向に沿ってテープ２１をシート２０から剥離することにより、シート２０が、糸２２の両側の第１，第２のシート部分２０ａ，２０ｂに分離され得る、切断性複合シート。【選択図】      図１
2006011277.tif 000002
【特許請求の範囲】
【請求項１】
合成樹脂よりなるシートの片面に、長さ方向を有し、合成樹脂もしくは合成樹脂−繊維複合材料からなるテープが積層されており、前記シートとテープとが、糸により前記テープの長さ方向に縫い付けられており、かつ前記糸により縫い付けられたシート及びテープが融着もしくは溶着により一体化されており、
前記テープを構成している合成樹脂の融点が、前記シートを構成している合成樹脂の融点よりも高くされており、前記テープの長さ方向に沿ってテープをシートから剥離することにより、シートを前記糸の両側の第１，第２のシート部分に分離することが可能とされている、切断性複合シート。
【請求項２】
請求項１に記載の切断性複合シートの製造方法であって、
合成樹脂よりなるシートの片面に、合成樹脂よりなり、長さ方向を有するテープを積層する工程と、
前記積層後に、糸を用いて、前記テープの長さ方向に沿って前記テープを前記シートに縫い付ける工程と、
前記縫い付け後に、前記シートと前記テープとを融着もしくは溶着する工程とを備える、請求項１に記載の切断性複合シートの製造方法。
【請求項３】
前記融着もしくは溶着に際し、前記シートの融点以上の温度で、前記糸が溶融もしくは燃焼する温度より低い温度で融着もしくは溶着が行われる、請求項２に記載の切断性複合シートの製造方法。
【請求項４】
看板の表示内容を隠蔽し、一時的に他の表示内容を表すための臨時表示シートであって、
該臨時表示シートが、請求項１に記載の切断性複合シートからなり、該切断性複合シートの前記シートの片面に一時的な他の表示内容が表されており、前記テープが臨時表示シートのシートの端部近傍で折り返されており、折り返された残りのテープがシートに溶着もしくは融着されているテープ部分を剥離し得る方向にかつ外部に至るように延ばされていることを特徴とする、臨時表示シート。
【請求項５】
前記テープが臨時表示シートの内面に溶着または融着されている、請求項４に記載の臨時表示シート。
【請求項６】
前記臨時表示シートが、前記看板を包み込むように取り付けられる、袋状の部材である、請求項４または５に記載の臨時表示シート。
【請求項７】
前記袋状の臨時表示シートが、少なくとも一つの開口部を有し、該開口部から看板に取り付けられるように構成されており、該開口部において、開口部を挟んだ両側の臨時表示シート部分を接合する接合部材をさらに備える、請求項６に記載の臨時表示シート。
【発明の詳細な説明】
【技術分野】
【０００１】
本発明は、複数のシート部分に容易に切断することが可能とされており、かつ切断までは上記切断部分において十分な接合強度を維持することが可能とされている切断性複合シート及びその製造方法に関し、より詳細には、合成樹脂よりなるシートの片面に合成樹脂からなるテープが積層され、該シートとテープとが糸により縫い付けられ、糸により切断部分が構成される切断性複合シート及びその製造方法、並びに該切断性複合シートを用いた臨時表示シートに関する。
【背景技術】
【０００２】
従来、様々な用途において、目的物を隠蔽したり、包装するのに柔軟性に優れた合成樹脂からなるシートが広く用いられている。柔軟性を有する合成樹脂シートは、隠蔽される部材や接合される部材の外形に沿うため、様々な部材を隠蔽したり、包装するのに好適である。
【０００３】
ところで、上記合成樹脂よりなるシートは、使用後には、被隠蔽部材や被包装部材から取り去られる。この場合、シートが比較的薄く、機械的強度が低い場合には、作業者の手指等によりシートを破り、取り去ることができる。また、被隠蔽物や被包装部材が手近にある場合には、カッターなどの工具を用いて上記シートを容易に切断し、除去することができる。
【０００４】
しかしながら、例えば、ビルの壁面の高い位置に固定されている部材、例えば壁面に連結された看板等を隠蔽するために用いられているシートでは、シートを切断し取り去ることが困難であった。すなわち、重機を用い、高所まで作業者が移動し、カッター等を用いて切断したり、あるいは、ゴンドラ内に作業者を配置し、ビルの屋上からゴンドラを降下し、上記シートを切り去り、除去しなければならなかった。そのため、上記シートの除去に多大の労力及びコストがかかるという問題があった。
【０００５】
このような問題を解決するために、例えば下記の特許文献１には、ビルの壁面等に取り付けられている看板を覆うように設けられており、容易に取り去ることが可能とされている表示シートが開示されている。
【０００６】
図１６は、特許文献１に記載の表示シートが取り付けられている看板を示す模式的斜視図であり、図１７は、上記表示シートの構成を示すための略図的分解斜視図であり、図１８は、表示シートが取り付けられる前の看板を示す斜視図である。
【０００７】
特許文献１に記載の表示シートは、図１８に示す看板１０１を被覆するために用いられる。看板１０１は、ビルの壁面に固定された柱１０２に連結されている。図１８で、看板１０１は、矩形板状の部材により構成されており、柱１０２に連結具１０３，１０４により連結されている。なお、看板１０１の主面には、破線Ａで囲まれた領域内に、会社名などの表示内容が塗装・刻印等により表されている。
【０００８】
ところで、会社等の合併や統合の結果、社名が変更される場合、業種によっては合併や統合日に看板等における表示を変更しなければならないと法律等により定められている場合がある。このような場合には、合併もしくは統合日より前には、看板１０１において旧社名が表示されておらなければ、統合もしくは合併日前に営業を行うことができない。また、統合日や合併日以降には、看板１０１に新社名が表示されていなければ、新社名での営業を行うことができない。
【０００９】
従って、看板１０１の表示内容は、上記のような場合、統合日や合併日に営業を開始する直前に新社名に変更されていなければならない。しかしながら、多数の支店等を有する企業においては、多数の看板１０１を有しているため、統合日や合併日の営業時間の直前に表示内容を変更することは現実には非常に困難であった。そのため、看板１０１の矢印Ａで囲まれている表示内容を統合日や合併日よりも前に予め新社名に変更し、すなわち、統合日もしくは合併日前の日の営業時間外に、予め看板１０１の表示内容を新社名に変更しておく。例えば、図１７に示す表示シート１０４により被覆する。表示シート１０４は、第１のシート本体１０５と、第２のシート本体１０６とを有する。シート本体１０５，１０６の主面には、図示のように、「工事中」の文字が印刷されている。なお、工事中に代えて、旧社名が表示されていてもよい。
【００１０】
シート本体１０５，１０６には、それぞれ、相手方のシート本体と接合するための接合部材１０７，１０８が設けられている。すなわち、シート本体１０５の周縁部には、複数の接合部材１０７が接続されており、他方のシート本体１０６の周縁部には、複数の接合部材１０８が連結されている。そして、対応する接合部材１０７と接合部材１０８とは、互いを接続・固定し得るように構成されている。接合部材１０７，１０８としては、例えば再剥離可能な接合テープや粘着テープを用い得るとされている。
【００１１】
そして、特許文献１に記載の方法では、上記表示シート１０４のシート本体１０５，１０６は、図１６に示されているように、看板１０１の第１，第２の主面側から取り付けられ、複数の接合部材１０７と、複数の接合部材１０８とを接合することにより看板１０１の表示内容を隠蔽するように取り付けられている。なお、シート本体１０５には、複数本の紐１０９が取り付けられている。すなわち、紐１０９は、その一端が、接合部材１０７に連結されており、他端が表示シート１０４外に延ばされている。図１６では、明瞭ではないが、この紐１０９の他端は、看板１０１の下方から延ばされる。
【００１２】
そして、図１６に示すように、統合日や合併日前においては、表示シート１０４の表示内容「工事中」が表示され、統合日もしくは合併日、すなわち新社名による営業開始日には、表示シート１０４を取り去ることにより、看板１０１の表示内容が表される。この場合、上述した紐１０９を引っ張るだけで接合部材１０７，１０８の接合を解き、シート本体１０５，１０６を取り外すことが可能とされている。すなわち、特許文献１に記載の表示シート１０４では、上記紐１０９が引っ張られた際に接合部材１０７と接合部材１０８との接合を解き得るように接合部材１０７に連結されており、かつ紐１０９の他端が下方に垂らされているため、比較的高所に看板１０１が存在する場合であっても、下方に垂らされた紐１０９を手で引っ張るだけでシート本体１０５，１０６を取り去ることが可能とされている。
【特許文献１】特開２００２−１９６６８０号公報
【発明の開示】
【発明が解決しようとする課題】
【００１３】
しかしながら、特許文献１に記載の紐１０９を用いる方法では、接合部材１０７と接合部材１０８の接合状態を解くように、接合部材１０７または接合部材１０８に紐１０９を取り付けねばならず、製造が煩雑であった。また、看板に取り付ける作業も煩雑であった。さらに、接合を解く際に多数の紐１０９を引っ張らねばならず、その場合、必ずしも全ての紐１０９により、全ての接合が確実に解かれるとは限らなかった。すなわち、接合を解く作業も煩雑であり、かつ容易ではなかった。
【００１４】
本発明の目的は、上述した従来技術の欠点を解消し、安価に製造し得るだけでなく、適用される部分や部材に容易に適用でき、所望とする部分から遠く離れた位置から操作することにより、該所望とする部分で容易に切断することが可能とされている。切断性複合シート及びその製造方法を提供することにある。
【００１５】
本発明の他の目的は、上記切断性複合シートを用いて構成されており、看板等を容易に隠蔽もしくは包装でき、かつ上方、下方または横方向などの離れた位置から操作して容易に切断・除去し得る臨時表示シートを提供することにある。
【課題を解決するための手段】
【００１６】
本願の第１の発明は、合成樹脂よりなるシートの片面に、長さ方向を有し、合成樹脂もしくは合成樹脂−繊維複合材料からなるテープが積層されており、前記シートとテープとが、糸により前記テープの長さ方向に縫い付けられており、かつ前記糸により縫い付けられたシート及びテープが融着もしくは溶着により一体化されており、前記テープを構成している合成樹脂の融点が、前記シートを構成している合成樹脂の融点よりも高くされており、前記テープの長さ方向に沿ってテープをシートから剥離することにより、シートを前記糸の両側の第１，第２のシート部分に分離することが可能とされている、切断性複合シートである。
【００１７】
本願の第２の発明は、第１の発明に係る切断性複合シートの製造方法であり、合成樹脂よりなるシートの片面に、合成樹脂よりなり、長さ方向を有するテープを積層する工程と、前記積層後に、糸を用いて、前記テープの長さ方向に沿って前記テープを前記シートに縫い付ける工程と、前記縫い付け後に、前記シートと前記テープとを融着もしくは溶着する工程とを備えることを特徴とする。
【００１８】
本発明に係る切断性複合シートの製造方法のある特定局面では、前記融着もしくは溶着に際し、前記シートの融点以上の温度で前記糸が溶融もしくは燃焼する温度より低い温度で融着もしくは溶着が行われる。
【００１９】
本願の第３の発明は、看板の表示内容を隠蔽し、一時的に他の表示内容を表すための臨時表示シートであって、該臨時表示シートが、請求項１に記載の切断性複合シートからなり、該切断性複合シートの前記シートの片面に一時的な他の表示内容が表されており、前記テープが臨時表示シートのシートの端部近傍で折り返されており、折り返された残りのテープがシートに溶着もしくは融着されているテープ部分を剥離し得る方向にかつ外部に至るように延ばされていることを特徴とする。
【００２０】
本発明の臨時表示シートのある特定の局面では、前記テープが臨時表示シートの内面に溶着または融着されている。
【００２１】
本発明に係る臨時表示シートの他の特定の局面では、前記臨時表示シートが、前記看板を包み込むように取り付けられる袋状の部材である。
【００２２】
本発明に係る臨時表示シートの他の特定の局面では、前記袋状の臨時表示シートが、少なくとも一つの開口部を有し、該開口部から看板に取り付けられるように構成されており、該開口部において、開口部を挟んだ両側の臨時表示シート部分を接合する接合部材をさらに備えている。
【発明の効果】
【００２３】
第１の発明に係る切断性複合シートでは、合成樹脂よりなるシートの片面に合成樹脂よりなるテープが積層されており、このシートとテープとが、糸によりテープの長さ方向に沿って縫い付けられており、かつ糸により縫い付けられたシート及びテープが融着もしくは溶着されて一体化されている。そして、上記テープを構成している合成樹脂の融点は、シートを構成している合成樹脂の融点よりも高くされている。従って、溶着もしくは融着により、糸の一部が、上記シート内に入り込み、糸により縫い付けられている部分において、シートの厚み方向に存在するシート材料が少なくなり、言い換えれば、該シート部分を構成している合成樹脂が糸の両側に押し退けられることになる。そのため、テープの長さ方向に沿って溶着や融着による接合力に逆らって、テープをシートから剥離した場合、テープとともに糸がシートから分離された際に、糸の両側の第１，第２のシート部分が分離する。よって、テープをシートから該テープの長さ方向に沿って剥離していくことにより、テープを第１，第２のシート部分に容易に切断することができる。
【００２４】
従って、第１の発明に係る切断性複合シートは、カッターなどの他の器具を必要とすることなく、上記テープをその長さ方向に沿ってシートから剥離するだけで、容易に切断され得る。加えて、上記のように、テープにシートを積層し、合成樹脂よりなる糸を縫い付け、しかる後融着もしくは溶着するだけで、切断性複合シートを容易に得ることができるため、複雑な部材を被覆・包装するのに用いられる切断性複合シートであっても、安価にかつ効率よく提供することが可能となる。
【００２５】
本発明に係る切断性複合シートの製造方法では、合成樹脂よりなるシートの片面に、合成樹脂よりなり、長さ方向を有するテープを積層し、積層後に、糸により縫い付け、縫い付け後に、糸により縫い付けられている部分を含むように、シートとテープとが融着もしくは溶着により一体化される。従って、上記板の縫い付け工程及び融着もしくは溶着工程を実施するだけで、安価にかつ効率よく切断性複合シートを得ることができる。この場合、縫い付け後に、糸がシート内にくい込み、糸により縫い付けられている部分のシートの面方向引っ張り強度が効果的に低められる。従って、第１の発明の切断性複合シートを容易に提供することができる。
【００２６】
融着もしくは溶着に際し、シートの融点と、糸が溶融もしくは燃焼する温度よりも低い温度で融着もくしは溶着が行われる場合には、より一層確実に糸の一部がシート内に入り込み、第１，第２のシート部分の分離をより一層容易に行うことができる、切断性複合シートを提供することができる。
【００２７】
本発明に係る臨時表示シートは、看板の表示内容を隠蔽し、一時的に他の表示内容を表すためのものであるが、本発明に係る切断性複合シートにより構成されており、該切断性複合シートの片面に一時的な表示内容が表されているため、本発明に看板から除去する際には、テープをその長さ方向に沿って上記シートから剥離するだけで、第１，第２のシート部分に切断性複合シートを容易に分断することができる。従って、看板から臨時表示シートを容易に取り外すことができる。特に、上記テープを看板から離れた位置まで、引き延ばしておくことにより、看板から離れた位置においてテープを引っ張るだけで、シートに融着もしくは溶着されている部分の先端の折り返し部分からテープがシートに対して１８０°剥離に近い形で剥離されるように剥離が進行する。従って、上記切断性複合シートを容易に分断することができる。
【００２８】
本発明に係る臨時表示シートにおいて、テープが臨時表示シートの内面に融着もしくは溶着されるように配置されている場合には、すなわち臨時表示シートが被包装部材や被隠蔽部材を包むように取り付けられた際に内面に位置するようにテープが配置されている場合には、テープを引っ張るだけで、テープの方向に臨時表示シートが内面から切断される。従って、袋状や、筒状の形状を有する臨時表示シートの場合であっても、内面側から臨時表示シートを容易に切断し、被隠蔽部材や被包装部材から容易に取り外すことができる。
【００２９】
臨時表示シートが、看板を包み込むように取り付けられている袋状の部材である場合には、看板をより確実に臨時表示シートにより隠蔽することができる。
【００３０】
袋状の臨時表示シートは、少なくとも一つの開口部を有し、該開口部から看板に取り付けられるように構成されており、開口部において、開口部を挟んだ両側の臨時表示シート部分を接合する接合部材がさらに備えられている場合には、看板に臨時表示シートを容易に取り付け、かつ取り付けられた状態においては、上記接合部材により臨時表示シートを確実に看板に固定することができる。そして、取り外しに際しては、上記テープを引っ張るだけで、臨時表示シートを容易に分断し、取り外すことが可能となる。
【発明を実施するための最良の形態】
【００３１】
以下、図面を参照しつつ本発明の具体的な実施形態を説明することにより、本発明を明らかにする。
【００３２】
図２は、本発明の一実施形態の臨時表示シートが取り付けられる看板を示す略図的斜視図であり、図３は、本実施形態の臨時表示シートが上記看板に取り付けられた状態を示す斜視図である。
【００３３】
図２に示すように、本実施形態の臨時表示シートが取り付けられる看板１は、建物２の壁面に連結具３〜６を用いて固定されている。看板１は、特に限定されないが、矩形板状の形状を有し、その主面には「ＡＢＣ」と記されている表示内容が表されている。この「ＡＢＣ」は、看板１を使用している企業の新社名に相当する。
【００３４】
前述したように、例えば企業の統合・合併により社名変更された場合に、新社名での営業開始は、統合・合併以降でなければならず、それ以前には、旧社名で営業を行わねばならないことがある。このような場合に、本実施形態の表示シートが好適に用いられる。図２に示す看板１の表示内容「ＡＢＣ」は、上記の場合の新社名に相当する。従って、合併日や統合日以前は、表示内容「ＡＢＣ」は隠蔽されていなければならない。そのために、図３に示すように、本実施形態の臨時表示シート１１が看板１の表示内容「ＡＢＣ」を隠蔽するように看板１に取り付けられている。
【００３５】
図３に示すように、臨時表示シート１１は、その外表面に表示内容「ＸＹＺ」を有する。この表示内容「ＸＹＺ」は、旧社名である。従って、臨時表示シート１１を看板１に取り付けることにより、上記統合日や合併日まで、旧社名を表示して営業を行うことができる。なお、「ＸＹＺ」は、旧社名である必要は必ずしもなく、前述した特許文献１に記載の先行技術のように「工事中」などの他の表示内容であってもよい。
【００３６】
図４は、臨時表示シート１１により看板１が覆われている状態を示す部分切欠正面断面図である。ここでは、臨時表示シート１１は、側面が切断された状態で図示されている。図４から明らかなように、臨時表示シート１１の内面には、後述のテープ２１が固定されている。テープ２１は、臨時表示シート１１のシート端部近傍において、折り返されている。この折り返し部分を、図５に部分切欠断面図で示す。図５に示すように、折り返し点２１Ａにおいてテープ２１が折り返されている。図４に示すように、テープ２１の外側端部２１Ｂは、臨時表示シート１１から下方に垂らされている。そして、臨時表示シート１１内において、内面にテープ２１が後述のようにして融着もしくは溶着されているが、折り返し点２１Ａにおいて折り返されている。そして、図５に部分切欠断面図で示すように、折り返し点２１Ａにおいて折り返された後のテープ部分２１Ｃは、再度折り返し点２１Ａに至った部分上を経由して、外側端部２１Ｂに延ばされている。従って、外側端部２１Ｂでは、テープ２１は二重とされている。
【００３７】
なお、図４では、テープ２１が臨時表示シート１１の内面に貼り合わされており、上記のように折り返されて二重となっている部分が示されている。従って図４で示されているのは、折り返された後の部分であり、図示されている折り返された後の部分の下方に臨時表示シート１１の内面に固定されているテープ部分が存在する。もっとも、実際には、折り返し点２１Ａ以後の外側端部２１Ｂに延ばされている部分はフリーであるため、折り返し点２１Ａ以前の部分と位置がずれるのが普通であり、特に、看板１の上方では重力により看板１の上面に載置されることになる。しかしながら、必要に応じて折り返し点２１Ａ以前のテープ部分上に図示のように、折り返し点２１Ａ以後の部分を容易に剥離し得るように停止しておいてもよい。
【００３８】
また、図４の一点鎖線Ｐで示す部分、すなわち臨時表示シート１１の下方端部近傍の領域では、テープ２１は臨時表示シート１１の内面に糸により縫い合わされておらず、テープ２１は臨時表示シート１１の内面に溶着もしくは融着により強固に接合されている。言い換えれば、糸により縫い付けられて最終的に分離される部分は、Ｐで示されている部分よりも臨時表示シート１１の内側部分である。
【００３９】
よって、外側端部２１Ｂ側でテープ２１を引っ張ると、特に折り返された後のテープ部分を引っ張ると、折り返し点２１Ａでは、図５の矢印Ｚで示す方向に力が加わり、テープ２１が、臨時表示シート１１のシート内面から１８０°剥離する方向に力が加わる。この場合、図４に示したＰで示す固定部分ではテープ２１は臨時表示シート１１から剥離されない。
【００４０】
図６（ａ）及び（ｂ）は、上記臨時表示シート１１の横側から見た側面図及び他方側から見た側面図である。
【００４１】
また、図７は、臨時表示シート１１を看板１に取り付けるための構造を説明するための略図的斜視図である。
【００４２】
図３〜図７から明らかなように、臨時表示シート１１は、全体が袋状の形状を有しており、合成樹脂シートを用いた切断性複合シートにより構成されている。なお、図６（ａ），（ｂ）及び図７では、臨時表示シート１１は直方体状の、すなわち保形性を有する直方体状の形状を有するように位置されているが、現実には、柔軟性を有する合成樹脂を用いて構成されている。従って、柔軟性を有し、被隠蔽部材である看板の外形に沿った形状とされ得る、袋状の形状を有するものである。すなわち、図７は、被隠蔽部材である看板の形に沿わした形状となるように図示されているに過ぎず、臨時表示シート１１は、開口１１ａを有する袋状の部材である。
【００４３】
もっとも、臨時表示シート１１は、柔軟性を有し、被隠蔽部材の外形に沿うように形状が変化するが、本実施形態では、矩形板状の看板１を覆うように取り付けられるため、図７に示す形状、すなわち看板の外形に沿った形状を有するものとして説明を進めることとする。
【００４４】
図７に示すように、臨時表示シート１１は、看板１に取り付けられた状態では、看板１の形状と同様の形状を有している。そこで、臨時表示シート１１は、看板１の両主面に対向する部分として、第１，第２の主面部１２，１３を有する。
【００４５】
第１の主面部１２と、第２の主面部１３とは、天板部１４により下方において連ねられている。また、図６（ａ）から明らかなように、連結具３〜６とは反対側の側面は側面部１５により連ねられている。
【００４６】
他方、連結具３〜６が挿通される側においては、開口部１１ａが設けられている（図６（ｂ），図７参照）。
【００４７】
図７に示すように、開口部１１ａにおいては、複数の接合部材１６〜１８が配置されている。接合部材１６は、第１の主面部１２に連ねられた接続舌片１６ａと、第２の主面部１３に連ねられた接続舌片１６ｂとを有する。接続舌片１６ａ，１６ｂは、いずれも、開口部１１ａにおいて、相手側の接続舌片側に延び、本実施形態では再剥離可能な接合テープと同様の構造が付与されて、接続舌片１６ａと、接続舌片１６ｂとが、固定され得るように構成されている。なお、接続舌片１６ａと接続舌片１６ｂの接合は、粘着剤等の他の接合材料により構成されていてもよい。接合部材１７，１８も、同様に構成された接続舌片１７ａ，１７ｂ，１８ａ，１８ｂを有する。
【００４８】
なお、開口１１ａにおいて、複数の接合部材１６〜１８が設けられているのは、接合部材１６，１７の間に空間Ｂを、接合部材１７，１８の間に空間Ｃを確保するためである。空間Ｂ，空間Ｃは、それぞれ、前述した連結具３，４及び連結具５，６が挿通する部分となる。すなわち、臨時表示シート１１を、看板１に取り付けるに際し、開口部１１ａ側から臨時表示シート１１を看板１を包み込むように取り付ける。そして、臨時表示シート１１を看板１に被せた後に、上記接続舌片１６ａ，１７ａ，１８ａと、接続舌片１６ｂ，１７ｂ，１８ｂと重ね合わせて固定する。この場合、空間Ｂ，空間Ｃが確保されているため、連結具３〜６が邪魔とならない。
【００４９】
従って、空間Ｂ，Ｃの大きさ及び位置、言い換えれば、複数の接合部材１６〜１８間のスペースは、連結具３〜６の位置に応じて適宜決定されればよい。
【００５０】
ところで、臨時表示シート１１は、本発明の切断性複合シートを用いて構成されているため、取り付け後に除去する際には、容易に看板１から除去され得る。これを、図１を参照してより詳細に説明する。
【００５１】
図１は、臨時表示シート１１の要部を示す部分切欠断面斜視図であり、Ｄで示される円の部分が拡大して図１において下方に示されている。
【００５２】
図１では、臨時表示シート１１の側面１５側の一部が図示されている。この側面１５と、側面１５に連ねられた上記第１，第２の主面部１２，１３及び天板部１４並びに接続舌片１６ａ〜１８ｂは、いずれも、合成樹脂からなるシートを用いて構成されている。このシートが、本発明における切断性複合シートのシートを構成している。このシートを構成する合成樹脂材料としては、溶着もしくは融着され得る合成樹脂である限り特に限定されないが、例えば、このような溶着もしくは融着され得る熱可塑性樹脂として、例えばポリエチレンやポリプロピレンが好適に用いられる。もっとも、テープ２１は、合成樹脂だけでなく、合成樹脂と繊維との複合材、すなわち合成樹脂−繊維複合材料で構成されていてもよい。
【００５３】
主面部１３の内面に、テープ２１が固定されている。なお、テープ２１は、主面部１３の外面側に固定されていてもよい。すなわち、本発明において、テープ２１は、臨時表示シート１１を構成しているシートの内面または外面のいずれに融着もしくは溶着により固定されていてもよい。
【００５４】
テープ２１は、長さ方向を有し、合成樹脂により構成されている。テープ２１を構成する合成樹脂材料としては、溶着もしくは融着され得る熱可塑性樹脂を用いることができる。このような合成樹脂としては、例えば、ポリエチレン、ポリプロピレン、ポリエステルなどの様々な熱可塑性樹脂を用いることができる。そして、このテープ２１は、図４を参照して行った前述の説明から明らかなように、臨時表示シート１１の主面部１２の内面において上下方向に延ばされているだけでなく、天板部１４に平行に延ばされている。さらに臨時表示シート１１のシートよりも下方にも至っている。すなわち、図４に示すように、テープ２１の一方端部と、折り返された後のテープの外側端部２１Ｂが、臨時表示シート１１のシート下端からさらに下方に延ばされている。
【００５５】
本実施形態の臨時表示シート１１は、このテープ２１の外側端部２１Ｂを引っ張ることにより容易に切断され、看板１から取り外され得る。すなわち、上記テープ２１は、臨時表示シート１１の内面において上述したように、看板１を囲む領域において、主面部１３の内面に固定されている。より具体的には、テープ２１は、外側端部２１Ｂから上方に延ばされており、連結具３〜６が配置されている側において、看板１の外側の領域において上下方向に延ばされており、かつ天板部１４の近傍において、側面部１５側に延ばされており、さらに看板１の連結具３〜６と反対側の側面の外側の領域において、下方に延ばされて、折り返し点２１Ａに至っている。ここまでが、テープ２１が主面部１３の内面に融着もしくは溶着により固定されている部分である。そして、テープ２１は、前述したように、折り返し点２１Ａから先端側が折り返され、再度看板１を囲む領域を経由し、外側端部２１Ｂまで延ばされている。
【００５６】
そして、図１に示すように、合成樹脂からなるシートに積層され、かつ合成樹脂からなる糸２２により縫い合わされて固定されている。また、上記糸２２は、様々な合成樹脂より構成され得る。好ましくは、上記テープ２１または糸２２を構成する合成樹脂としては、上記シート本体を構成する合成樹脂の融点よりも高い融点を有する合成樹脂が用いられる。糸２２を構成する合成樹脂としては、例えば、ポリエステル、ビニロン、アラミド、綿糸等及びその混紡糸などを挙げることができる。
【００５７】
もっとも、糸２２は、合成樹脂以外の材料で構成されてもよく、例えば綿糸などにより構成されてもよい。いずれにしても、糸２２が合成樹脂からなる場合には、糸２２の融点よりも低い温度で上記融着もしくは溶着が行われればよい。糸２２が合成樹脂以外の木綿糸からなる場合には、糸２２が軟化もしくは分解する温度よりも低い温度で上記融着もしくは溶着が行われればよい。また、上記融着もしくは溶着温度は、シートを軟化させる必要があるため、シート２１を構成する合成樹脂の融点以上の温度で行われればよい。
【００５８】
縫い合わされた部分において、テープ２１は、シートの側面部１５に融着もしくは溶着されている。ここで、糸２２は、合成樹脂からなり、その融点は、側面部１５を構成している合成樹脂の融点よりも高くされている。そして、融着もしくは溶着は、両者の融点の間の温度で行われる。すなわち、側面部１５を構成している合成樹脂の融点よりも高く、上記糸２２の融点よりも低い温度で融着もしくは溶着されている。
【００５９】
上記テープ２１及び糸２２がシートに取り付けられた本実施形態の切断性複合シート部分の製造方法を、図８（ａ），（ｂ）を参照して説明する。
【００６０】
すなわち、側面部１５としてシートの内面にテープ２１が重ねられ、糸２２により縫い付けられる。この糸２２の縫い方は特に限定されず、例えば、図１２に示す本縫いが好適に用いられる。もっとも、図１３に示すように、上糸２２ａ及び下糸２２ｂを用いた２重環縫いなどの環縫い法によりテープ２１がシート２０に縫い付けられてもよい。
【００６１】
いずれの縫い方を採用した場合であっても、図８（ａ）に示すように、テープ２１の長さ方向の一部の横断面においては、糸２２は、テープ２１のシート２０とは反対側の面において突出しており、かつシート２０のテープ２１とは反対側の面から外側に突出することとなる。そして、図８（ｂ）に示すように、加熱ヘッド３１，３２を用いて、テープ２１をシート２０に融着もしくは溶着する。この際の温度は、前述したように、シート２０の融点よりも高く、糸２２の融点よりも低い温度とされる。その結果、シート２０の表面が溶融し、×印を付して示すように、テープ２１の主面と、シート２０の主面とが融着もしくは溶着される。同時に糸２２は、柔らかくなったシート２０内に入り込むことになる。また、テープ２１内にも入り込む。そのため、糸２２においては、糸２２により縫い付けられている部分の両側に位置する第１のシート部分２０ａと、第２のシート部分２０ｂとに比べて、面方向の引き裂き強度が低くなる。言い換えれば、糸２２が位置する部分において、シート２０の厚み方向において、シートを構成している合成樹脂材料が薄くなり、すなわち糸２２の両側に合成樹脂が押し退けられることになる。
【００６２】
そのため、図９及び図１０（ａ），（ｂ）に示すように、上記テープ２１を、シート２０から剥離すると、シート２０は、第１，第２のシート部分２０ａ，２０ｂに分離される。すなわち、上記融着もしくは溶着部分が解かれるように、テープ２１をシート２０の内面から剥離すると、糸２２はテープ２１とともにシート２０から分離される。また、糸２２により縫い付けられている部分において、シート２０を構成している合成樹脂材料が少なくなっているので、糸２２が分離されると、シート２０が、第１，第２のシート部分２０ａ，２０ｂに切断されることになる。この分離は、テープ２１をシート２０の内面において剥離していくだけで達成される。
【００６３】
従って、図３に戻り、テープ２１の外側端部２１Ｂを臨時表示シート１１を構成しているシート本体の内面から剥離するように引っ張ることにより、臨時表示シート１１は、上記テープ２１の一方側及び他方側の第１，第２のシート部分２０ａ，２０ｂに分断される。この場合、折り返し点２１Ａにおいて、１８０°剥離に近い状態でテープ２１が剥離されていく。従って、第１，第２のシート部分２０ａ，２０ｂに容易に分断され得る。言い換えれば、図３のＸＹＺの表示内容が示されている主面側の第１の主面部１２側の部分と、反対側の主面側の第２の主面部側の部分とに分断される。もっとも、前述したＰで示した固定部分は分断されない。従ってテープ２１の外側端部２１Ｂを引っ張った場合、上記矢印Ｐで示した固定部分に連ねられており、かつ看板１から切断された臨時表示シート部分を容易に除去することができる。
【００６４】
従って、上記テープ２１の外側端部２１Ｂを手が届く高さまで垂下しておくだけで、クレーンやゴンドラを用いることなく、地上から、あるいは窓際もしくはベランダ等に位置している作業者がテープ２１の外側端部２１Ｂを引っ張ることにより、容易に臨時表示シート１１を取り外すことができる。
【００６５】
上記実施形態の臨時表示シート１１の説明から明らかなように、臨時表示シート１１は、本発明に従って構成された切断性複合シートすなわち上記シート２０、テープ２１及び糸２２からなる複合シートを用いて構成されているため、安価に提供し得るだけでなく、器具などを必要とすることなく、容易に分断することができる。また、上記臨時表示シート１１は、上記開口部１１ａ側から看板１に容易に取り付けることができ、取り付け・固定する際には、上記接合部材１６〜１８の接続舌片１６ａ〜１８ａと、接続舌片１６ｂ〜１８ｂ途を重ねるだけでよい。従って、容易に看板１に臨時表示シート１１を固定することができる。
【００６６】
上記臨時表示シート１１の説明から明らかなように、上記シート本体、テープ２１及び糸２２からなる切断性複合シートは、必ずしも上記臨時表示シート１１においてのみ用いられるものではなく、様々な部材を隠蔽したり包装したりする用途に用いることかできる。例えば、開封したことが把握され得ることが必要である部材の包装に、上記切断性複合シートを好適に用いることができる。すなわち、上記切断性複合シートでは、テープを剥離してシートを分断した後には、再度元の状態に復帰させることはできない。従って、開封したことが直ちに目視により把握され得る。
【００６７】
また、上記臨時表示シート１１では、袋状のシート本体の内面に沿って、一本のテープ２１が縫い付けられていたが複数本のテープが縫い付けられていてもよい。
【００６８】
さらに、上記臨時表示シート１１は、開口部１１ａを有する袋状の部材により構成されていたが、本発明に係る臨時表示シートは、特許文献１に記載の表示シートのように、看板の各主面を覆う複数枚の表示シートを適宜の接続部材により接続してなる構造を有していてもよい。その場合においても、少なくとも一枚の表示シート部分に、本発明の切断性複合シートの構造を採用することにより、テープを剥離して容易に表示シートを分断し、看板から取り外すことができる。
【００６９】
なお、上記融着もしくは溶着に際しての加熱ヘッド３１，３２は、適宜の加熱源により加熱され得る。このような加熱源としては、高周波誘導加熱装置を用いたもの、あるいは他の様々な公知のヒーターを用いたものなどを例示することができ、特に限定されない。また、加熱ヘッド３１，３２の一方のみを用い、加熱は融着もしくは溶着部分の片側からのみ行ってもよい。
【００７０】
また、融着もしくは溶着に際しての温度及び時間は、上記シート及びテープを構成する合成樹脂に応じて適宜設定すればよい。いずれにしても、融着もしくは溶着により接合されている部分は、ある程度の面積を有するため、テープ２１に外力を加えるまでは、十分な接合強度でテープ２１がシート２０に接合されている。従って、風やその他の物理的な力により外力が加わったとしても、そのような外力だけで容易に破損するおそれはない。また、上記シート２０と、テープ２１の融着もしくは溶着による接合の接合強度は、上記説明から明らかなように、手指によりテープ２１をシート２０から遠ざかる方向に外力を加えた際に接合が解かれる程度の大きさとすることが望ましい。もっとも、テープ２１を剥離する際には、上記接合部分において、接合面と直交する方向に外力が加わるため、さほど大きな力を加えずとも、テープ２１はシート２０から剥離されていく。
【００７１】
図１１は、本発明の他の実施形態に係る臨時表示シートを説明するための斜視図である。図６（ａ），（ｂ）及び図７に示した臨時表示シート１１では、一方の側面に複数の接合部材１６〜１８が設けられていたが、図１１に示す臨時表示シート４１では、一方の側面において、上下方向に延びる第１，第２の接合部材４２，４３が設けられている。接合部材４２と接合部材４３とは、再剥離可能な接合テープを利用した構造や粘着剤を利用した構造により両者の積層部分が固定されるように構成されている。
【００７２】
もっとも、使用前の段階においては、接合部材４２と接合部材４３との接合は解かれている。すなわち、接合部材４２の内面と、接合部材４３の外面とは接触していない。
【００７３】
他の点については、臨時表示シート１１と同様とされているため、相当する部分については相当の参照番号を付することにより、その説明を省略する。
【００７４】
臨時表示シート４１では、一方の側面において、上端から下端に至る接合部材４２，４３が設けられている。従って、例えば、看板１（図２参照）に接合部材４２，４３が設けられている側の開口部から取り付けるに際しては、予め連結具３，４及び連結具５，６が挿通する空間を形成するために、例えば、二点鎖線Ｅ１，Ｅ２，Ｅ３，Ｅ４で示す部分において切り込みを形成すればよい。そして、臨時表示シート１１に取り付けるに際しては、接合部材４２と、接合部材４３とを開き、すなわち開口１１ａを露出させた状態で看板１に被せる。しかる後二点鎖線Ｅ１の上方において、接合部材４２，４３を接続し、二点鎖線Ｅ２，Ｅ３間においても接合部材４２を接合部材４３に接続し、二点鎖線Ｅ４よりも下方において接合部材４２を接合部材４３に接続すればよい。この場合、二点鎖線Ｅ１，Ｅ２間においては、接合部材４２は自由端とされ、二点鎖線Ｅ３，Ｅ４間においても接合部材は自由端とされる。従って、その各接合部材４２が自由端とされている部分においては、連結具３，４及び連結具５，６が挿通され得る。このようにして、臨時表示シート４１を連結具３〜６を有する看板１に無理なく取り付けることができる。
【００７５】
従って、本実施形態の臨時表示シート４１では、取り付ける看板における連結具の位置において、二点鎖線Ｅ１〜Ｅ４で示されているような切り込み位置を選択することにより、様々な連結具を用いた看板に取り付けることができる。よって、臨時表示シート４１が取り付けられる看板の種類が多く、すなわち連結具による固定部分の数や寸法が異なる場合であっても、容易に対応することができる。
【００７６】
なお、図４に示した実施形態では、テープ２１は、看板１を囲む領域であって、臨時表示シート１１の図示されている側の内側の主面に固定されていたが、テープ２１は、臨時表示シート１１の一対の主面のうちの一方に固定されている必要は必ずしもない。図１４及び図１５は、テープ２１が臨時表示シート１１に固定される態様が異なる他の実施形態を示す各部分切欠正面断面図である。
【００７７】
図１４に示す実施形態では、テープ２１の端部は、図４に示した場合と同様に、矢印Ｐで示す部分において臨時表示シート１１に固定されている。この矢印Ｐで示す部分では、糸は縫い付けられておらず、従って最終的に臨時表示シート１１が分断されない部分である。矢印Ｐで示している部分より上方では、テープ２１は、臨時表示シート１１の図示されている側の主面に糸により縫い付けられている。そして、矢印Ｐで示す部分から上方に向かってテープ２１が延び、テープ２１は、臨時表示シート１１の天板１４に至るように縫い付けられている。そして、天板１４の内面においてもテープ２１が縫い付けられ、天板１４の内面において側面１５側に延ばされている。そして、側面１５の内面においてもテープ２１が縫い付けられ、側面１５の下端の折り返し点２１Ａまで至っている。この折り返して２１Ａまでの部分においてテープ２１は臨時表示シート１１に糸により縫い付けられている。そして、折り返し点２１Ａから先の部分では、テープ２１は、臨時表示シート１１に溶着もしくは融着されていない。すなわち、テープ２１はフリーな状態となって、看板１の下方部分を経由し、臨時表示シート１１の下方に至っている外側端部２１Ｂに連ねられている。従って、外側端部２１Ｂ側でテープを引っ張ることにより、折り返し点２１Ａから順に縫い付けられているテープ２１が臨時表示シート１１の内面から剥離されていき、臨時表示シート１１が分断されることになる。この分断は上記Ｐで示す部分まで連続することになる。従って、テープ２１をさらに引っ張ることにより、矢印Ｐで示す部分でテープに結合されている臨時表示シート１１が、看板１から容易に取り外され得る。
【００７８】
図１５に示す変形例では、上記テープ２１は、図１４に示した実施形態とほぼ同様にして、臨時表示シート１１の内面に固定されている。もっとも、図１５に示す変形例では、臨時表示シート１１の側面１５とは反対側の側面の内面に沿うようにテープ２１が固定されている。ここでも、Ｐで示す領域においては、テープ２１は臨時表示シート１１に融着もしくは溶着により固定されている。すなわち、Ｐで示す部分では、糸により縫い付けられていない。
【００７９】
その他の点については、図１５に示すテープ２１は、図１４に示す場合と同様にして臨時表示シート１１に固定されている。従って、図１５に示す構造においても、テープ２１の外側端部２１Ｂを引っ張ることにより、折り返して２１Ａから上方において、臨時表示シート１１を分断することができ、看板１から容易に取り外すことができる。また、テープ２１はＰで示す部分において臨時表示シート１１と固定されたままとなるため、テープ２１を引っ張るだけで、臨時表示シート１１をテープ２１とともに下方に落下させることができる。
【００８０】
図１４及び図１５に示したように、テープ２１は、臨時表示シート１１を分断し、最後にテープ２１とともに固定した状態で看板１から取り去ることが可能である限り、臨時表示シート１１の内面の任意の位置に沿わせることがてきる。
【図面の簡単な説明】
【００８１】
【図１】本発明の一実施形態に係る臨時表示シートの要部を説明するための部分切欠断面斜視図及びその一部を拡大して示す部分断面斜視図。
【図２】本発明の一実施形態の臨時表示シートが取り付けられる看板を説明するための斜視図。
【図３】本発明の一実施形態の臨時表示シートが看板に取り付けられた状態を示す斜視図。
【図４】本発明の一実施形態の臨時表示シートが看板に取り付けられた状態を示す部分切欠正面断面図。
【図５】本発明の一実施形態において、臨時表示シート内面におけるテープ折り返し部分を説明するための部分切欠断面図。
【図６】（ａ）は、一実施形態の臨時表示シートの一方側面図、（ｂ）は他方側面図。
【図７】本発明の一実施形態の臨時表示シートの斜視図。
【図８】（ａ）及び（ｂ）は、本発明の一実施形態の臨時表示シートにおいて、テープをシート本体に積層し、縫い付ける工程及びテープとシートとを溶着する工程とを示す各断面図。
【図９】本発明の一実施形態の臨時表示シートにおいて、テープを剥離する工程を説明するための拡大斜視図。
【図１０】（ａ）及び（ｂ）は、テープをシートから剥離した際に、シートが分断される工程を説明するための図であり、（ａ）は、テープの横断面方向の断面図、（ｂ）は、テープの長さ方向に沿う断面図。
【図１１】本発明の他の実施形態に係る臨時表示シートを示す斜視図。
【図１２】本発明の一実施形態において、シートとテープとを糸により縫い付けた構造における縫い方の一例を示す略図的断面図。
【図１３】本発明の一実施形態において、シートとテープとを糸により縫い付けた構造における縫い方の他の例を示す略図的断面図。
【図１４】本発明に係る臨時表示シートの他の実施形態を説明するための正面断面図。
【図１５】本発明に係る臨時表示シートのさらに他の実施形態を説明するための正面断面図。
【図１６】従来の表示シートが看板に取り付けられた状態を示す斜視図。
【図１７】従来の表示シートの分解斜視図。
【図１８】従来の表示シートが取り付けられる看板を示す斜視図。
【符号の説明】
【００８２】
１…看板
２…建物
３〜６…連結具
１１…臨時表示シート
１１ａ…開口部
１２，１３…主面部
１４…天板部
１５…側面部
１６〜１８…接合部材
１６ａ，１６ｂ〜１８ａ，１８ｂ…接続舌片
２０…シート本体
２０ａ…第１のシート部分
２０ｂ…第２のシート部分
２１…テープ
２１Ａ…折り返し点
２１Ｂ…外側端部
２１Ｃ…折り返されたテープ部分
２２…糸
２２ａ…上糸
２２ｂ…下糸
３１，３２…加熱ヘッド
４１…臨時表示シート
４２，４３…接合部材
【図１】
2006011277.tif 000003
【図２】
2006011277.tif 000004
【図３】
2006011277.tif 000005
【図４】
2006011277.tif 000006
【図５】
2006011277.tif 000007
【図６】
2006011277.tif 000008
【図７】
2006011277.tif 000009
【図８】
2006011277.tif 000010
【図９】
2006011277.tif 000011
【図１０】
2006011277.tif 000012
【図１１】
2006011277.tif 000013
【図１２】
2006011277.tif 000014
【図１３】
2006011277.tif 000015
【図１４】
2006011277.tif 000016
【図１５】
2006011277.tif 000017
【図１６】
2006011277.tif 000018
【図１７】
2006011277.tif 000019
【図１８】
2006011277.tif 000020